(57)【要約】【課題】  投げ易くて標的への命中率を高められ、標識剤の漏れを確実に防止し、投擲後はボール本体を確実に破壊可能な防犯用標識ボールを提供する。【解決手段】  指先がかかる各リブ１５，１６がボール表面に存在するので、防犯用標識ボール１０が投げ易く、投擲の命中率が高まる。また、ボール本体１１の製造時にはボール本体１１の部品を接着する接着工程が存在しないので、通常時、ボール本体１１からの標識剤１２の漏れを確実に防げる。また、リブ１５，１６の外縁にはエッジＥ付きの薄肉部１５ａ，１６ａが存在するので、投擲後はボール１０が犯人に衝突した衝撃力がエッジＥに集中し、ボール本体１１を薄肉部１６ａから確実に破壊できる。【選択図】図１
2005140356.tif 000002
【特許請求の範囲】
【請求項１】
投擲して標的などに衝突したときの衝撃力により破壊可能なカプセル形状のボール本体と、
該ボール本体に収納された標識剤とを備えた防犯用標識ボールにおいて、
前記ボール本体には、該ボール本体の内方およびまたは外方に突出し、該ボール本体より薄い薄肉部を外縁に有する凸部が形成され、
前記薄肉部には、鋭角なエッジが形成された防犯用標識ボール。
【請求項２】
前記ボール本体または標識剤には、前記防犯用標識ボールの識別チップを有する請求項１に記載の防犯用標識ボール。
【発明の詳細な説明】
【技術分野】
【０００１】
この発明は防犯用標識ボール、詳しくは犯人などの標的に投擲し、ボール内の標識剤を犯人や逃走用の車両などに付着させる防犯用標識ボールに関する。
【背景技術】
【０００２】
近年、銀行などの金融機関やコンビニエンスストアなどの商店では、強盗事件が多発している。その際、逃走する犯人が通行人に紛れると見分けがつかない。また、犯人が自動車やバイクを使用した際には、車両のナンバーの確認を怠ると、他の自動車などに紛れてしまう。
そこで、これを解消するものとして、例えば特許文献１の防犯用標識ボールが開発されている。特許文献１の防犯用標識ボールは、プラスチック製の１対の半球状カプセルを弱接着性の接着剤で互いに接着した壊れ易いボール本体内に、視認性が高い螢光液を封入した液体入りボールである。防犯用標識ボールを、例えば逃走する犯人に投擲すると、犯人またはその付近の路面などに衝突した時の衝撃力でボール本体が破壊され、内容物である蛍光液が飛散して犯人に付着する。その付着した蛍光液を足がかりに、犯人の逮捕が容易になるという製品である。
【特許文献１】特開２０００−１８８９１号
【発明の開示】
【発明が解決しようとする課題】
【０００３】
しかしながら、特許文献１の防犯用標識ボールにあっては、ボール表面が平滑で、指先に引っかかる部分（手がかり部）が存在しなかった。そのため、防犯用標識ボールが投げ難く、このボールを上手く標的に命中させるには、定期的に防犯用標識ボールの投擲訓練を行う必要があった。
また、特許文献１の防犯用標識ボールでは、ボール本体として、１対の半球状カプセルを弱接着性の接着剤により接着する方法を採用していた。そのため、接着剤がムラなく均一な厚さで塗布されていることが製品の条件であった。接着剤の塗布が不十分な領域があれば、その部分からボール本体内の蛍光液が漏出したり、使用者が標的に投げつける動作中に、指先の力で防犯用標識ボールが壊れてしまうおそれがあった。また、接着剤が過剰に塗布された際には、半球状カプセル同士の接着力が強くなり過ぎてしまい、投擲された防犯用標識ボールが標的に命中してもボールが割れないおそれがあった。
【０００４】
この発明は、投球チャンスは１回だけなので、ボール表面に指先が引っかかる部分を有して投げ易く、標的への命中率を高めることができ、また通常時はボール本体からの標識剤の漏れを確実に防ぐことができ、しかも外部から一定の衝撃力が作用した場合には、ボール本体を確実に破壊してマーキングすることができる防犯用標識ボールを提供することを目的としている。
【課題を解決するための手段】
【０００５】
請求項１に記載の発明は、投擲して標的などに衝突したときの衝撃力により破壊可能なカプセル形状のボール本体と、該ボール本体に収納された標識剤とを備えた防犯用標識ボールにおいて、前記ボール本体には、該ボール本体の内方およびまたは外方に突出し、該ボール本体より薄い薄肉部を外縁に有する凸部が形成され、前記薄肉部には、鋭角なエッジが形成された防犯用標識ボールである。
【０００６】
請求項１に記載の発明によれば、投擲時、指先が引っかかるボール本体の内方およびまたは外方に突出した凸部がボール表面に存在するので、投球チャンスは１回だけの防犯用標識ボールが投げ易く、標的への防犯用標識ボールの命中率を高めることができる。
また、ボール本体の製造時には、ボール本体の構成部品同士を接着する接着工程が存在しないので、通常時、従来の半球状カプセルを弱接着性の接着剤により接着する場合とは異なり、ボール本体からの標識剤の漏れを確実に防止することができる。さらに、凸部の外縁にはエッジ付きの薄肉部が形成されている。そのため、投擲された防犯用標識ボールが標的に衝突すると、そのときの衝撃力がエッジに集中し、ボール本体を薄肉部から確実に破壊してマーキングすることができる。
【０００７】
ボール本体の素材としては、例えばプラスチックを採用することができる。これにより、ボール本体をブロー成形により安価に作製することができる。
ボール本体の形状としては、例えば真球形状（サッカーボール形状を含む）、ラクビーボール形状などを採用することができる。
ボール本体の大きさは限定されない。投擲し易い大きさは、直径３０〜８０ｍｍである。
ボール本体には、内方に突出する凸部を形成してもよいし、外方に突出する凸部を形成してもよい。さらに、両方の凸部をボール本体にそれぞれ形成してもよい。
【０００８】
標識剤は気体、液体、固体（粉体、粒体、塊）のいずれでもよい。標識剤の素材は限定されない。例えば、蛍光剤を採用してもよい。蛍光剤としては、アクリロニトリルスチレンなどの各種の蛍光顔料を採用することができる。蛍光剤の色は限定されない。例えば、グリーン、オレンジ、バイオレットなどが挙げられる。
標識剤として異臭成分を採用してもよい。標識剤に異臭成分を含んでいるので、例えば標識剤が付着した犯人が人込みに紛れても、その異臭により犯人を識別することができる。
異臭成分の素材は限定されない。例えば、アンモニア、メチルメルカブタン、硫化水素、イソ吉草酸を採用することができる。
【０００９】
標識剤として、ルミノールを採用してもよい。標識剤がルミノールを含むので、犯人が標識剤の付着した衣服などを洗浄した後でも、ルミノール発光試験を行うことで犯人の特定が可能になる。ルミノールが存在すれば、過酸化水素とヘミン（血液も可）とを含む水溶液に接触することで、青色に著しく化学発光する。
ルミノールは、５−アミノ−２，３−ジヒドロ−１，４−フタラジンジオンまたは３−アミノフタル酸ヒドラジドである。今までに知られている化学発光を示す物質の中ではルジゲニンとともに最も強い発光を示す。
【００１０】
また、標識剤のボール本体への封入量は、ボール本体の内容量により適宜変更される。投擲し易い重さは、３０〜３００ｇである。
薄肉部の厚さは限定されない。例えば０．２〜１．０ｍｍである。また、ボール本体の厚さは、例えば０．５〜２ｍｍである。薄肉部は、ボール本体の内方に突出した凸部の外縁に形成してもよい。また、ボール本体の外方に突出した凸部の外縁に形成してもよい。さらに、ボール本体に内外両方の凸部が併存する場合には、その両方の凸部の外縁または一方の凸部の外縁に薄肉部を形成してもよい。
エッジは、薄肉部のうち、少なくとも凸部の付け根部に形成されていればよい。エッジの角度は限定されない。また、エッジの長さも限定されない。エッジの形成数は１つでもよいし、２つ以上でもよい。
【００１１】
請求項２に記載の発明は、前記ボール本体または標識剤には、前記防犯用標識ボールの識別チップを有する請求項１に記載の防犯用標識ボールである。
【００１２】
請求項２の発明によれば、ボール本体または標識剤に識別チップを有しているので、防犯用標識ボールを識別し、管理することができる。
識別チップとしては、例えば日立製作所のミューチップ（ＲＦＩＤ）などのＩＤチップを採用することができる。
【発明の効果】
【００１３】
請求項１に記載の発明によれば、投擲時、指先が引っかかる凸部がボール表面に存在するので、投球チャンスは１回だけの防犯用標識ボールが投げ易く、標的への防犯用標識ボールの命中率を高めることができる。
また、ボール本体の製造時には、従来法のような接着工程が存在しないので、通常時、ボール本体からの標識剤の漏れを確実に防止することができる。さらに、凸部の外縁にはエッジ付きの薄肉部が形成されているので、外部から一定の衝撃力が作用すれば、確実にボール本体を破壊してマーキングすることができる。
【００１４】
請求項２に記載の発明によれば、ボール本体または標識剤に識別チップを有しているので、防犯用標識ボールを識別し、管理することができる。
【発明を実施するための最良の形態】
【００１５】
以下、この発明の実施例を図面を参照して説明する。
【実施例１】
【００１６】
図１〜図４において、１０はこの発明の実施例１に係る防犯用標識ボールで、この防犯用標識ボール１０は、投擲して標的などに衝突したときの衝撃力により破壊可能なカプセル形状のボール本体１１と、ボール本体１１に収納された標識剤１２とを備えた防犯用標識ボール１０である。
ボール本体１１はポリエチレンテレフタレート製で、ブロー成形により製造された球形状のカプセルである。ボール本体１１は、直径が５０ｍｍ、厚さｔ１が０．５ｍｍで、上端部に標識剤１２の注入口１３が形成されている。注入口１３はキャップ１４により蓋止めされている。ボール本体１１の外周面には、ボール本体１１の上下端部で十字配置された２本の環状の縦リブ（ボール本体１１の外方に突出した凸部）１５が、周方向に１２０度間隔で周設されている。また、ボール本体１１の外周面には、ボール本体１１を上下方向に３分割した境界線上に、互いに平行な２本の環状の横リブ（ボール本体１１の外方に突出した凸部）１６が離間状態で周設されている。各リブ１５，１６の幅は１ｍｍ、各リブの高さは０．５ｍｍである。
標識剤１２には、バイオレット色をした蛍光液の一種であるアクリロニトリルスチレン溶液が採用されている。標識剤１２の注入量は、ボール本体１１の内容積の約８０％を占める４０ｇである。
【００１７】
この発明の特徴は、各リブ１５，１６の幅方向の両側の外縁に、ボール本体１１（厚さ０．５ｍｍ）より薄い薄肉部（厚さｔ２＝約０．２ｍｍ）１５ａ，１６ａがそれぞれ形成され、しかも各薄肉部１５ａ，１６ａの外面（凸部の隆起側の面）に鋭角なエッジＥをそれぞれ形成した点である（図２（ｂ））。言い換えれば、エッジＥを形成することでボール本体１１に薄肉部１５ａ，１６ａが形成される。
【００１８】
次に、実施例１の防犯用標識ボール１０を用いた犯人に対するマーキング方法を説明する。
防犯用標識ボール１０を、例えば逃走する犯人に投擲すると、犯人またはその付近の路面などに衝突した時の衝撃力で、各エッジＥから薄肉部１５ａ，１６ａに亀裂が入ってボール本体１１が破壊される。これにより、内容物である標識剤１２が飛散し、その一部または全部が犯人に付着する。標識剤１２は蛍光液であり、いったん衣服などに付着したなら洗浄しても落ちにくい。
ボール本体１１には、指先が引っかかる合計４本のリブ１５，１６が表面に形成されているので、防犯用標識ボール１０が投げ易く、標的への防犯用標識ボール１０の命中率が高まる。
また、ボール本体１１の製造時には、従来法のような接着工程が存在しないので、従来の半球状カプセルを弱接着性の接着剤により接着する場合とは異なり、通常時ではボール本体１１からの標識剤１２の漏れを確実に防止することができる。しかも、投擲された防犯用標識ボール１０が標的などに衝突すると、その衝撃力がエッジＥに集中し、ボール本体１１が薄肉部１５ａ，１６ａから確実に破壊され、犯人などに対して確実にマーキングすることができる。
【００１９】
実施例１では、ボール本体１１の外周面に、ボール本体１１の外方に突出したリブ１５，１６をそれぞれ形成したが、これに限定されることなく、例えばボール本体１１の内方に突出したリブ１５，１６をそれぞれ形成してもよい（図２（ｃ），図２（ｄ））。この場合、エッジＥは、各薄肉部１５ａ，１６ａの内面に形成される場合もあるし（図２（ｃ））、外面に形成される場合もある（図２（ｄ））。
標識剤１２には、異臭成分を含ませてもよい。この場合には、例えば標識剤１２が付着した犯人が人込みに紛れても、その異臭を頼りに犯人を識別することができる。
また、標識剤１２にはルミノールを含ませてもよい。この場合には、犯人が標識剤１２の付着した衣服などを洗浄した後でも、ルミノール発光試験を行うことで犯人の特定が可能になる。ルミノールが存在すれば、過酸化水素とヘミン（血液も可）とを含む水溶液に接触することで、青色に著しく化学発光する。
さらに、ボール本体１１に図示しない識別チップを固着したり、標識剤１２にこの識別チップを混入してもよい。この場合には、防犯用標識ボール１０を識別し、管理することができる。
【図面の簡単な説明】
【００２０】
【図１】この発明の実施例１に係る防犯用標識ボールの斜視図である。
【図２】（ａ）この発明の実施例１に係る防犯用標識ボールの縦断面図である。（ｂ）図２ａの要部拡大断面図である。（ｃ）他の実施形態に係る防犯用標識ボールの要部拡大断面図である。（ｄ）別の実施形態に係る防犯用標識ボールの要部拡大断面図である。
【図３】この発明の実施例１に係る防犯用標識ボールの平面図である。
【図４】この発明の実施例１に係る防犯用標識ボールの正面図である。
【符号の説明】
【００２１】
１０  防犯用標識ボール、
１１  ボール本体、
１２  標識剤、
１５ａ，１６ａ  薄肉部、
１５、１６  リブ（凸部）、
Ｅ  エッジ。
【図１】
2005140356.tif 000003
【図２】
2005140356.tif 000004
【図３】
2005140356.tif 000005
【図４】
2005140356.tif 000006